(57)【要約】      （修正有）【課題】金属板の曲げ加工によて形成された一対の挟持部と連結部とレバー軸支持穴と、当該レバー軸支持穴に挿入して回転可能に支持される金属棒の曲げ加工によて形成された２本の開閉用レバーとを備えたダブルクリップで、軽く且つ安定に開閉できるものを提供する。【解決手段】ダブルクリップは、２本の開閉用レバー４の摘み部が当たるまで挟持部１を開いた際、２本の開閉用レバーの摘み部が成す角度が３０度以下であり、且つ、挟持部と連結部２の接続部付近であって、開閉動作の際に開閉用レバーの支点となる個所から開閉用レバーの摘み部までの長さが２０ｍｍ以上であることを特徴とする。【選択図】図１
0003189235.tif 000002
【実用新案登録請求の範囲】
【請求項１】
金属板の曲げ加工によって形成された一対の挟持部と連結部とレバー軸支持穴と、
当該レバー軸支持穴に挿入して回転可能に支持される金属棒の曲げ加工によって形成された２本の開閉用レバーと、
を備えたダブルクリップであって、
上記２本の開閉用レバーの摘み部が当たるまで上記挟持部を開いた際、当該２本の開閉用レバーの摘み部が成す角度が３０度以下であり、
且つ、上記挟持部と上記連結部の接続部付近であって、開閉動作の際に上記開閉用レバーの支点となる個所から、上記開閉用レバーの摘み部までの長さが２０ｍｍ以上である
ことを特徴とするダブルクリップ。
【請求項２】
上記挟持部と上記連結部の接続部付近であって、開閉動作の際に上記開閉用レバーの支点となる個所から、上記開閉用レバーの摘み部までの長さは、当該２本の開閉用レバーの摘み部が当たるまで上記挟持部を開いた際、当該一対の挟持部が平行となる長さ以下である
ことを特徴とする請求項１に記載のダブルクリップ。
【請求項３】
上記挟持部と上記連結部の接続部付近であって、開閉動作の際に上記開閉用レバーの支点となる個所から、上記開閉用レバーの摘み部までの長さは、上記開閉用レバーの支点となる個所から上記レバー軸支持穴の中心までの長さの３倍以下である
ことを特徴とする請求項２に記載のダブルクリップ。
【考案の詳細な説明】
【技術分野】
【０００１】
本考案は、複数枚の書類を綴じる文房具であるダブルクリックに関するものである。
【背景技術】
【０００２】
ダブルクリップは、その簡便さから広くオフィスや学校等で用いられている。用途に応じて、超特大サイズから極豆サイズまでの様々なサイズのダブルクリップが市販されている。
ダブルクリップの基本機能は、複数枚の紙書類をしっかりと強い力で挟持することであり、そのため、ダブルクリップを開閉するには大きな力が必要であった。
【０００３】
上記の問題を解決するために、ダブルクリップの開閉レバーの形状を縦軸に対して左右非対称の平面的な形状にすることによって、開閉レバーが閉じている状態の時に、相対する開閉レバーの摘み部にずれた部分が生じ、開閉レバーの摘み部に指が掛り易くし、開き易くするものが提案されている（例えば、特許文献１）。
【先行技術文献】
【特許文献】
【０００４】
【特許文献１】特開２０１１−２１８７６９号
【考案の概要】
【考案が解決しようとする課題】
【０００５】
上述した特許文献１に開示されているダブルクリップは、開閉レバーの摘み部が摘まみやすくなっていることで、開閉レバーに力を伝えやすいという長所を有している。
しかしながら、ダブルクリップに目一杯の枚数の紙書類を挿入するためには、ダブルクリップの挟持部を平行以上になるまで開くことが必要になり、非常に大きな力が必要になる。例えば、６０枚程度の紙書類を綴じることができる中タイプのダブルクリップの場合、挟持部を平行になるまで開くためには、約３ｋｇ重という大きな力が必要である。
【０００６】
ダブルクリップを開く動作は、通常、親指と人差し指で行うが、２本の指で３ｋｇ重という力を掛けることは、成人男性にとっても比較的大変なことである。したがって、挟持部が平行になるまで開いた状態においては、親指と人差し指に、挟持部からの大きな反力が生じており、それに負けまいと２本の指に力を入れて、挟持部をさらに開こうとすると、挟持部からの反力が大きくなり、２本の指が反力に負けて、逆に挟持部が少し閉じてしまう。そうすると、それに負けまいと再び２本の指に力を入れて、挟持部を開こうとする、という動作の繰り返しになり、挟持部が不安定に開閉を繰り返すことになる。そのため、書類を挟持部に挿入しようとする動作が困難になってしまうという問題があった。
【課題を解決するための手段】
【０００７】
本考案の請求項１に係るダブルクリップは、金属板の曲げ加工によって形成された一対の挟持部と連結部とレバー軸支持穴と、
当該レバー軸支持穴に挿入して回転可能に支持される金属棒の曲げ加工によって形成された２本の開閉用レバーと、
を備えたダブルクリップであって、
上記２本の開閉用レバーの摘み部が当たるまで上記挟持部を開いた際、当該２本の開閉用レバーの摘み部が成す角度が３０度以下であり、
且つ、上記挟持部と上記連結部の接続部付近であって、開閉動作の際に上記開閉用レバーの支点となる個所から、上記開閉用レバーの摘み部までの長さが２０ｍｍ以上であることを特徴とする。
【０００８】
本考案の請求項２に係るダブルクリップは、上記挟持部と上記連結部の接続部付近であって、開閉動作の際に上記開閉用レバーの支点となる個所から、上記開閉用レバーの摘み部までの長さは、当該２本の開閉用レバーの摘み部が当たるまで上記挟持部を開いた際、当該一対の挟持部が平行となる長さ以下であることを特徴とする。
【０００９】
本考案の請求項３に係るダブルクリップは、上記挟持部と上記連結部の接続部付近であって、開閉動作の際に上記開閉用レバーの支点となる個所から、上記開閉用レバーの摘み部までの長さは、上記開閉用レバーの支点となる個所から上記レバー軸支持穴の中心までの長さの３倍以下であることを特徴とする。
【考案の効果】
【００１０】
本考案に係るダブルクリップは、このように構成されているので、２本の開閉用レバーの摘み部が当たるまで開くことができる。したがって、その状態を安定に保持し、挟持部に書類をしっかりと挿入することができる。
【図面の簡単な説明】
【００１１】
【図１】本考案に係るダブルクリップの正面図である。
【図２】本考案の係るダブルクリップの側面図である。
【図３】開閉用レバー角度と実効的作用点との関係を調べた実験結果を表す図である。
【図４】実験結果を説明するための図である。
【図５】開閉用レバー角度を１５度とした時、持ち手長さと開閉レバーの摘み部が当たるまで閉じることができた人数と示す図である。
【図６】本考案が解決しようとする課題を説明する図である。
【考案を実施するための形態】
【００１２】
実施の形態１．
本考案に係るダブルクリップの構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１３】
まず、図を用いて、本考案に係るダブルクリップの構成について説明する。
図１はダブルクリップの正面図、図２は側面図である。
ダブルクリップは、書類を挟んで保持する部分である一対の挟持部１、この一対の挟持部を連結する連結部２、一対の挟持部１を開閉するための２本の開閉用レバー４、および開閉用レバーを回転可能に支持するための穴であるレバー軸支持用穴３とから構成されている。
【００１４】
一対の挟持部１、連結部２およびレバー軸支持用穴３は、１枚の金属板に曲げ加工を施すことで形成されている。そして、図２の状態が一対の挟持部１が閉じた状態であり、この状態において、一対の挟持部１は互いに閉じようとする弾性力が働いている。
【００１５】
２本の開閉用レバー４は、図１に示すような形状であり、１本の金属棒の曲げ加工によって形成されている。図１において、開閉用レバー４の上部は摘み部であり、親指と人差し指で、摘まめるようになっている。
そして、開閉用レバー４の両端をレバー軸支持用穴３に挿入することによって、開閉用レバー４は回転可能に支持されている。
【００１６】
図２において、ａは、挟持部１と連結部２の接続部付近であって、開閉動作の際に開閉用レバー４の支点となる個所である。また、ｂは、一対の挟持部を広げる際の力の作用点となる個所である。支点ａと作用点ｂ間の長さをＬ１、支点ａから開閉用レバー４の摘み部の最上部までの長さをＬとしている。
【００１７】
本実施の形態においては、３種類のダブルクリップを作製した。書類を４０枚程度閉じることができる小タイプ、６０枚程度閉じることができる中タイプ、および１００枚程度閉じることができる大タイプである。
小タイプでは、Ｌ１＝１０ｍｍ、Ｌ＝２５ｍｍとした。
中タイプでは、Ｌ１＝１５ｍｍ、Ｌ＝２６ｍｍである。
また、大タイプでは、Ｌ１＝１９ｍｍ、Ｌ＝３４ｍｍとした。
【００１８】
いずれのダブルクリップにおいても、一般的な成人男性が、２本の開閉用レバー４の摘み部が当たるまで、一対の挟持部１を開くことができた。そして、２本の開閉用レバー４の摘み部が当たった状態においては、それ以上の力を入れても、一対の挟持部１の開き角度は変わらないので反力は変わらず、したがって、安定にその状態を維持することができた。また、それぞれのクリップの限界枚数の紙を安定に一対の挟持部１に挿入することができた。
【００１９】
一方、従来のダブルクリップにおいては、小タイプのものであっても、２本の開閉用レバー４の摘み部が当たるまで、一対の挟持部１を開くことは難しい。なぜならば、図６のように一対の挟持部１がほぼ平行になるまで開くと、それ以上開くのには非常に大きな力が必要であったためである。
【００２０】
では、なぜこのように大きな力が必要であったのかの原因を調べてみた。
図６において点線で示した角度、すなわち、挟持部１と連結部２が成す角度が大きくなると、弾性力が角度を小さくする方向に働く。この力は弾性力であるので、点線で示した角度が大きくなるにつれ、ほぼ直線的に大きくなる。したがって、図６の状態からさらに、一対の挟持部１を開く際にも、徐々に反力たる弾性力が大きくなるだけで、開けるために急に大きな力が必要となる理由にはならない。
【００２１】
そこで、原因を探るための実験を行った。
図３の上側に示した模式図で示すように、開閉用レバー４が中心軸と成す角度をｎ度として、この角度を変えた際の、開閉用レバー４に掛かる実効的な作用点位置を調べた。
この実験の詳細に関して説明する。
【００２２】
開閉用レバー４の先端には、つっかえ棒の役割を果たす詰め物５を挟んだ。そして、この詰め物５の高さを変えることで、開閉用レバー４の限界角度ｎを規定した。そして、２本の開閉用レバー４上に圧力検知フィルムを張り付けた。
また、挟持部１と連結部２が生じる弾性力を通常のダブルクリップの弾性力よりも５分の１程度と非常に小さくした。
そして、７人の成人男性に、それぞれの限界角度ｎにおいて、ダブルクリップを普通の持ち方で強く摘まんでもらった。
【００２３】
弾性力を十分に小さくしておいたので、７人の男性はいずれの限界角度までしっかりと摘まむことができた。すなわち、開閉用レバー４の摘み部が詰め物５に当たるまで、摘まむことができた。
そして、それぞれの限界角度ｎにおいて、圧力検知フィルムの濃淡から、開閉用レバー４のどの位置に平均的な力が掛かっているかを調べた。この位置を実効的作用点位置と呼び、開閉用レバー４の摘み部の最上端からの距離で表すこととした。
【００２４】
図３の下のグラフは、この実験結果を表したものであり、各プロットデータは７人の平均値である。
なお、限界角度ｎがマイナスの場合というのは、一対の挟持部１が閉じた状態や少しだけ開いた状態であり、一対の挟持部１が平行まで達していない状態である。
限界角度ｎがマイナス、あるいはゼロの場合、実効的作用点位置は、開閉用レバー４の摘み部の最上端から２ｍｍ程度の位置である。すなわち、ほぼ端部に力が掛かっていた。
【００２５】
そして、限界角度ｎがプラスになると、徐々に、実効的作用点位置は、開閉用レバー４の内側に移動した。限界角度ｎが１５度の時に、約１１ｍｍも実効的作用点位置が内側に入ってきている。
このように実効的作用点位置が変化するのは、開閉用レバー４に対して人の指が当たる位置が内側になっていっているためである。ダブルクリップが閉じた状態、すなわち、２本の開閉用レバー４の摘み部が離れた状態では、摘まんだ指は摘み部の最上部付近だけに当たっている。しかし、２本の開閉用レバー４が平行になる頃から、指は開閉用レバー４の内側にも当たりだし、さらに摘み部が接近してくると、さらに内側に指が当たることが分かった。
【００２６】
この実験結果を説明した図が図４である。白抜き矢印が実効的作用点位置を表している。ここで、Ｌ２は実効的作用点位置から支点ａまでの長さである。
てこの原理によるつり合いを考えると、実効的作用点位置が内側に移動し、Ｌ２が減少していくと、その減少の割合だけ、作用点ｂに掛かる力は減少する。
すなわち、一対の挟持部１がほぼ平行になるまで開くと、限界角度ｎがプラスになり、摘まんだ指が当たる位置が開閉用レバー４の内側に入っていくため、挟持部１を開くために、急に大きな力が必要となることが分かった。
【００２７】
また、図３の結果より、限界角度ｎが１５度を越えると、さらに急激に実効的作用点が内側に移動することも判明した。このことから、２本の開閉用レバー４の摘み部が当たった状態において、開閉用レバー４と中心軸の角度は１５度以内にするべきであるという結論も得た。つまり、２本の開閉用レバー４の摘み部が当たった状態において、２本の開閉用レバー４の成す角度は３０度以内にすべきである。
【００２８】
次にもう一つの実験を行った。
２本の開閉用レバー４の摘み部が当たった状態での２本の開閉用レバー４の成す角度を３０度として、全体の大きさを変えた３つのダブルクリップを作製した。図５で示すように、開閉レバー４の持ちて部の長さＬとして、１８ｍｍ、２０ｍｍおよび２２ｍｍの３種類のダブルクリップを作製した。そして、７人の成人男性に普通の持ち方で強く摘まんでもらった。
【００２９】
この結果、一番小さなＬ＝１８ｍｍのダブルクリップは、誰も２本の開閉用レバー４の摘み部が当たるまで閉じることができなかった。Ｌ＝１８ｍｍのダブルクリップは一番弾性力が弱い。しかし、Ｌが小さいため、実効的作用点位置が支点に非常に近くになってしまうため、摘み部が当たるまで閉じることができなかったものと考えられる。
したがって、開閉用レバー４の持ち手長さＬとして、少なくとも２０ｍｍ以上は必要である。
【００３０】
では、Ｌは長ければ長いほど良いのかと言えば、あまり長すぎると問題が生じることが分かった。綴じた際に邪魔になるという以外に、あまり長すぎると開閉用レバー４が大きく湾曲して、２本の開閉用レバー４の摘み部が当たった状態でも、挟持部が平行まで開かず、最大枚数の書類を挿入できないという問題が生じた。このような問題が生じる長さは、材質等により異なる。しかし、現在一般的にダブルクリックに用いられている材質で検討したところ、ＬがＬ１の３倍を越えると、上述の不具合が起こることが分かった。
【００３１】
以下、本考案の特長についてまとめる。
従来のダブルクリップが、なぜ、挟持部を平行以上に開こうとすると、急に大きな力が掛かるかを明らかにした。挟持部が平行以上になると、開閉用レバーの向きが下向きになり、指の腹ではなく、指の先端に近い部分で開閉用レバーを押すようになり、てこの支点に作用点が近づくので、挟持部を開く力が弱まってしまうことが要因であることを明らかにした。
【００３２】
この分析結果より、効率的に挟持部を平行以上に開いて、２本の開閉用レバーの摘み部が当たるまで、開き切ることができる構成を導出した。
この構成により、比較的小さな力でも、２本の開閉用レバーの摘み部が当たるまで、開き切ることが可能となり、その状態で安定に保持することができることが分かった。
【００３３】
そして、開いた状態を安定に保持できるので、最大枚数の書類を挟持部に挿入しやすくなった。
ただし、開閉用レバーは一本の金属棒の曲げ加工により形成されているため、強い力が掛かると湾曲しやすい。そのため、支点となる個所から開閉用レバーの摘み部までの長さが、開閉用レバーの支点となる個所からレバー軸支持穴の中心までの長さの３倍以上になると、開閉用レバーが大きく湾曲してしまい、２本の開閉用レバーの摘み部が当たった状態でも、挟持部が平行まで開くことは無く、最大枚数の書類を挟持部に挿入できない問題が生じることを明らかにした。
【００３４】
また、２本の開閉用レバーの摘み部が開いている状態においては、２本の指でしっかりと摘み部を抑えることが可能であるが、摘み部が閉じた状態に近くなると、摘み部に対して指が滑りやすくなり、力が入りにくくなる。本考案に係るダブルクリップにおいては、摘み部が閉じた角度を制限しているため、この滑りやすさを緩和できるという長所もある。
【符号の説明】
【００３５】
１    挟持部
２    連結部
３    レバー軸支持穴
４    開閉用レバー
【図１】
0003189235.tif 000003
【図２】
0003189235.tif 000004
【図３】
0003189235.tif 000005
【図４】
0003189235.tif 000006
【図５】
0003189235.tif 000007
【図６】
0003189235.tif 000008